(57)【要約】【課題】レーヨン長繊維フィラメント糸を裏糸として用いた接触冷感性の高い編地を提供する。【解決手段】表糸２、第一の裏糸３及び第二の裏糸４を用いて編成されると共に、対をなす表糸２及び裏糸からできたループが横方向に連続してなる横列を複数列備えてなるプレーティング天竺編組織を持った編地であって、表糸２が、レーヨン紡績糸であり、第一の裏糸３が、レーヨン長繊維フィラメント糸であり、第二の裏糸４が、ポリエステル繊維からなる糸であり、表糸２と第一の裏糸３とによって形成される横列と、表糸２と第二の裏糸４とによって形成される横列とが、縦方向に交互に配置されている。【選択図】図２
0003183008.tif 000002
【実用新案登録請求の範囲】
【請求項１】
表糸、第一の裏糸及び第二の裏糸を用いて編成されると共に、対をなす表糸及び裏糸からできたループが横方向に連続してなる横列を複数列備えてなるプレーティング天竺編組織を持った編地であって、
前記表糸が、レーヨン紡績糸であり、
前記第一の裏糸が、レーヨン長繊維フィラメント糸であり、
前記第二の裏糸が、ポリエステル繊維からなる糸であり、
前記表糸と第一の裏糸とによって形成される横列と、前記表糸と第二の裏糸とによって形成される横列とが、縦方向に交互に配置されている、
ことを特徴とするプレーティング天竺編組織の編地。
【請求項２】
前記ポリエステル繊維からなる糸は、異形断面ポリエステル繊維からなる糸である、
請求項１に記載のプレーティング天竺編組織の編地。
【請求項３】
前記レーヨン紡績糸は、４０／１レーヨン紡績糸であり、
前記レーヨン長繊維フィラメント糸は、８４ｄｔｅｘ／３１ｆレーヨン長繊維フィラメント糸であり、
前記ポリエステル繊維からなる糸は、８４ｄｔｅｘ／２４ｆ異形断面ポリエステル繊維の２ヒータ加工糸である、
請求項１または請求項２に記載のプレーティング天竺編組織の編地。
【考案の詳細な説明】
【技術分野】
【０００１】
本考案は、表糸と裏糸とを用いて編成されたプレーティング天竺編組織の編地に関する。
【背景技術】
【０００２】
従来、緯編（よこあみ）の一種として天竺編みが知られている。天竺編みとは、糸をループ状に縦横方向に連続して形成する編み方のことである。また、二本の糸を同時に引き込みながら表裏に編み分ける編み方は、プレーティング編みとして知られており、そして、二本の糸を同時に引き込んで天竺編みを表裏に編み分ける編み方は、プレーティング天竺編み（「リバーシブル天竺編み」ともいう）として知られている。このプレーティング天竺編みは、表糸と裏糸に光沢の異なる糸を使用して独特の色効果を有する編地を作製したり、あるいは、表糸と裏糸に異なる機能を有する糸を使用して、機能性を持たせた編地を作製するのに用いられている。
【０００３】
例えば、特許文献１は、表側を綿糸で構成し、裏側をポリエステルマルチフィラメント糸で構成した２重天竺編地について開示する。文献１によれば、裏側を構成するポリエステルマルチフィラメント糸に吸い込まれた水分は、吸湿性に優れた表側の綿糸に移動していくため、肌と接する裏側編地が極めて短時間で乾燥状態となり、汗等の水分によるべたつき感などがない速乾性の編地を提供できる、とのことである。
【０００４】
また、特許文献２は、表側に疎水性繊維からなる糸、裏側にレーヨンフィラメント糸を用いた天竺リバーシブルのスポーツ衣料用編地について開示する。文献２によれば、レーヨンフィラメント糸が大きな熱伝導率や吸湿性を有することを利用して、体熱を素早く逃がし、かつ汗をすみやかに吸収するスポーツ衣料用編地が提供できる、とのことである。
【先行技術文献】
【特許文献】
【０００５】
【特許文献１】特許第３８４３２９７号公報
【特許文献２】特公平７−８１２３７号公報
【考案の概要】
【考案が解決しようとする課題】
【０００６】
上述したように、レーヨン長繊維フィラメント糸は、大きな熱伝導率を有し、肌に触れた際にひんやりとした感触が得られるものの（接触冷感）、他の繊維からなる糸と比較して強度が弱いため、レーヨン長繊維フィラメント糸に加工を施していない状態で編もうとすると途中で切れてしまうなどの問題がある。そのため、ポリエステル繊維との混繊糸としたり、あるいは強撚加工したりして、強度を上昇させて使用することが通例となっている。
【０００７】
しかし、ポリエステル繊維との混繊糸としたり、あるいは強撚加工したりすると、強度は上昇するものの、レーヨン長繊維フィラメントの混率が下がったり、ドレープ性が低下してしまう。その結果、それらの糸を用いて衣類を作製した場合には、肌が衣類と触れた際の接触冷感性が悪くなり、レーヨン長繊維フィラメント糸の長所が損なわれるという問題があった。
【０００８】
本考案の目的は、上記問題に鑑みてなされたものであり、レーヨン長繊維フィラメント糸を裏糸として用いた接触冷感性の高い編地を提供することにある。
【課題を解決するための手段】
【０００９】
本考案は、表糸、第一の裏糸及び第二の裏糸を用いて編成されると共に、対をなす表糸及び裏糸からできたループが横方向に連続してなる横列を複数列備えてなるプレーティング天竺編組織を持った編地であって、前記表糸が、レーヨン紡績糸であり、前記第一の裏糸が、レーヨン長繊維フィラメント糸であり、前記第二の裏糸が、ポリエステル繊維からなる糸であり、前記表糸と第一の裏糸とによって形成される横列と、前記表糸と第二の裏糸とによって形成される横列とが、縦方向に交互に配置されていることを特徴としている。
【００１０】
本考案では、レーヨン長繊維フィラメント糸を混繊糸や加工糸とすることなくそのまま裏糸として用いて編地を作製するため、この編地を使用して衣類を作製した場合に、裏糸に混繊糸や加工糸を使用した場合と比較して接触冷感性が高くなる。また、第二の裏糸にポリエステル繊維からなる糸を使用することにより、編地の強度と形態安定性を保つことが可能となる。さらに、表糸にレーヨン紡績糸を使用することで、肌触りの良さを保つことが可能となる。
【００１１】
好ましくは、上記ポリエステル繊維からなる糸は、異形断面ポリエステル繊維からなる糸であることを特徴としている。
【００１２】
異形断面ポリエステル繊維からなる糸は、単純円形断面のポリエステル繊維からなる糸と比較して比表面積が大きくなるため、水分が吸水されやすくなる。異形断面ポリエステル繊維からなる糸に水分が吸収されると、その水分は毛細管現象により編地表面へ拡散されていく。さらに、編地表面は吸湿性を有するレーヨン紡績糸で構成されているため、吸水された水分の編地表面への拡散がより一層促進される。そして、吸水された水分は編地表面から蒸発する。したがって、本実施形態の編地で衣類を作製した場合には、肌表面の汗などの水分が吸水されやすくなり、さらにはその水分が衣類表面へと拡散し蒸発するため、衣類が乾きやすくなる。その結果、汗等によるべたつき感が解消され、衣類内環境を快適に保つことが可能となる。
【００１３】
さらに、第一の裏糸であるレーヨン長繊維フィラメント糸と第二の裏糸である異形断面ポリエステル繊維からなる糸とが縦方向に交互に配置されているため、水分の吸水とともにひんやりとした感触を与えることができ、衣類内環境をより快適に保つことが可能となる。
【００１４】
好ましくは、上記レーヨン紡績糸は、４０／１レーヨン紡績糸であり、上記レーヨン長繊維フィラメント糸は、８４ｄｔｅｘ／３１ｆレーヨン長繊維フィラメント糸であり、上記ポリエステル繊維からなる糸は、８４ｄｔｅｘ／２４ｆ異形断面ポリエステル繊維の２ヒータ加工糸であることを特徴としている。
【００１５】
本構成により、表糸にレーヨン紡績糸、第一の裏糸にレーヨン長繊維フィラメント糸、第二の裏糸にポリエステル繊維からなる糸を用いたプレーティング天竺編組織の編地について、好適な実施形態が提供できる。
【考案の効果】
【００１６】
本考案によれば、編地裏側における接触冷感性を良好なレベルに保ちながらも、編地の強度および形態安定性に優れ、肌触りも良好な編地を提供することができる。
【図面の簡単な説明】
【００１７】
【図１】本考案の編地の全体図である。
【図２】本考案の編地を裏側から見たときの部分拡大図である。
【考案を実施するための形態】
【００１８】
本考案の実施形態について、図面を参照しながら説明する。図１は、本考案の編地１の全体図である。１ａは編地１の表側を示し、１ｂは編地１の裏側を示している。また、図２は、編地１をその裏側１ｂから見たときの部分拡大図である。
【００１９】
図２は、表糸２に対して第一の裏糸３および第二の裏糸４がプレーティングされた天竺編組織を表している。このような編組織は、プレーティング天竺編組織またはリバーシブル天竺編組織とよばれている。本実施形態では、表糸２と第一の裏糸３とが重なって形成されたループおよび表糸２と第二の裏糸４とが重なって形成されたループがそれぞれ横方向に連続している。そして、表糸２と第一の裏糸３とから形成される横列Ａと、表糸２と第二の裏糸４とから形成される横列Ｂとが、縦方向に一列おきに交互に配置されている。
【００２０】
表糸２には、良好な肌触りを有する繊維からなる糸を使用するのが好ましく、そのような観点からレーヨン紡績糸を使用するのが好ましい。本実施形態では、４０／１レーヨン紡績糸を使用している。なお、「４０／１」は、４０番手の単糸を意味している。
【００２１】
第一の裏糸３には、撚りなどの加工を施していない８４ｄｔｅｘ／３１ｆレーヨン長繊維フィラメント糸を使用している。レーヨン長繊維フィラメント糸は、強度が弱く、加工を施していない状態では編むことが困難であるが、本実施形態のようにプレーティング天竺編みの手法を用いることにより、レーヨン長繊維フィラメント糸を混繊糸や加工糸とすることなく編むことが可能となる。そして、レーヨン長繊維フィラメント糸は接触冷感性を有するため、裏糸として使用した場合、肌に触れた際にひんやりとした感触を得ることができる編地を作製することができる。なお、「ｄｔｅｘ（デシテックス）」は、糸の太さの単位であり、１００００ｍの糸の質量をグラム単位で表したものである。例えば、本実施形態の「８４ｄｔｅｘ」は、１００００ｍで８４ｇであることを意味する。また、「ｆ」はフィラメントを意味し、本実施形態の「３１ｆ」は３１本のフィラメントで糸が構成されているということを意味している。
【００２２】
第二の裏糸４には、ポリエステル繊維からなる糸を使用している。編地に使用される化学繊維糸としてはナイロン繊維からなる糸も一般的に使用されているが、強度と形態安定性の確保という観点からポリエステル繊維からなる糸を使用するのが好ましい。さらに吸水性や速乾性を確保するという観点から異形断面のポリエステル繊維からなる糸を使用することがより好ましい。ポリエステル繊維からなる糸は、熱加工されているものであってもよく、本実施形態では、８４ｄｔｅｘ／２４ｆ異形断面ポリエステル繊維からなる糸の２ヒータ加工糸を使用している。なお、「２ヒータ」とは、２回熱処理を行っていることを意味している。
【００２３】
異形断面ポリエステル繊維からなる糸は、単純円形断面ポリエステル繊維からなる糸と比較して比表面積が大きくなるため、水分が吸水されやすくなる。異形断面ポリエステル繊維からなる糸に水分が吸収されると、その水分は毛細管現象により編地表面へ拡散されていく。さらに、編地表面は吸湿性を有するレーヨン紡績糸で構成されているため、吸水された水分の編地表面への拡散がより一層促進される。そして、吸水された水分は編地表面から蒸発する。したがって、本実施形態の編地で衣類を作製した場合には、肌表面の汗などの水分が吸水されやすくなり、さらにはその水分が衣類表面へと拡散し蒸発するため、衣類が乾きやすくなる。その結果、汗等によるべたつき感が解消され、衣類内環境を快適に保つことが可能となる。
【００２４】
さらに、第一の裏糸であるレーヨン長繊維フィラメント糸と第二の裏糸である異形断面ポリエステル繊維からなる糸とが縦方向に交互に配置されているため、水分の吸水とともに肌にひんやりとした感触を与えることができ、衣類内環境をより快適に保つことが可能となる。
【００２５】
なお、異形断面ポリエステル繊維からなる糸を構成している異形断面ポリエステル繊維の断面形状は単純円柱状断面ポリエステル繊維よりも比表面積が大きいものであれば特に限定されないが、例えば、中空形状、多角形状、星型形状などの異形断面ポリエステル繊維を用いることができる。
【００２６】
以上の実施形態では、表糸２と第一の裏糸３とから形成される横列Ａと、表糸２と第二の裏糸４とから形成される横列Ｂとが、縦方向に一列おきに交互に配置されている形態を示したが、縦方向に複数列おきに（例えば二列おきに）交互に配置する構成としてもよい。このような構成は、使用する表糸２、第一の裏糸３および第二の裏糸４の種類や、作製される編地の使用目的に応じて適宜決定すればよい。
【００２７】
なお、第一の裏糸３と第二の裏糸４との光沢が異なる場合には、第一の裏糸３と第二の裏糸４との境界が目立ってしまい編地１の審美性を損なうおそれがある。この点、本実施形態では、第一の裏糸３と第二の裏糸４の光沢が異なる糸を用いているものの、縦方向に一列おきに交互に配置されているため、編地１の審美性が損なわれることがない。また、本実施形態のように、第一の裏糸３に接触冷感性を有する繊維からなる糸、第二の裏糸４に吸水速乾性を有する繊維からなる糸を使用した場合に、水分の吸水とともに肌にひんやりとした感触を与え、衣類内環境をより快適に保つという観点からも、一列おきに交互に配列されていることが好ましい一実施形態である。
【００２８】
本考案は上記実施の形態に限定されるものではなく、その要旨を逸脱しない範囲で適宜変更可能である。
【産業上の利用可能性】
【００２９】
本考案の編地は、衣類、特に直接肌に触れるシャツ類や下着類の生地として広く利用できる。
【符号の説明】
【００３０】
１    編地
１ａ  編地の表側
１ｂ  編地の裏側
２    表糸
３    第一の裏糸
４    第二の裏糸
【図１】
0003183008.tif 000003
【図２】
0003183008.tif 000004